(57)【特許請求の範囲】
【請求項１】
移動端末の移動前の在圏位置を制御エリアとする第１の無線ネットワーク制御装置（ＲＮＣ）から移動後の在圏位置を制御エリアとする第２のＲＮＣへ、該エリアを移動した該移動端末の情報を転送した時に、第２のＲＮＣが該移動端末に通知する情報において、移動後のシステムにおいて位置登録の更新処理が実施済みであるか否かを示す情報を送信するステップを備えることを特徴とする移動通信システムの位置登録制御方法。
【請求項２】
請求項１に記載の位置登録制御方法であって、更に、
前記移動端末の通信中に前記エリアを移動した場合において、前記の移動後のシステムにおいて位置登録の更新処理が実施済みであった場合に、該移動端末は該通信終了後に第２の無線ネットワーク制御装置（ＲＮＣ）への位置登録を更新する要求信号の通知を抑制するステップを備えることを特徴とする移動通信システムの位置登録制御方法。
【請求項３】
請求項２に記載の位置登録制御方法であって、更に、
移動後の在圏位置を制御エリアとする第２の無線ネットワーク制御装置（ＲＮＣ）が、第２のＲＮＣを管理下に置く第２の加入者パケット交換機（ＳＧＳＮ）へエリア切り替え完了を通知した後に、第２のＳＧＳＮがホームロケーション装置（ＨＬＲ）へ位置登録情報を通知するステップを備え、第１のＲＮＣを管理下に置く第１のＳＧＳＮに登録されていた前記移動端末が第２のＳＧＳＮに登録されることを特徴とする移動通信システムの位置登録制御方法。
【発明の詳細な説明】
【技術分野】
【０００１】
本発明は、移動通信システムにおける移動端末の在圏位置を登録するための制御方法に関し、特に、移動端末の在圏位置が変更された場合に、移動端末の位置登録情報を更新するために移動端末が発信する情報を制御する位置登録制御方法に関する。
【背景技術】
【０００２】
ディジタル方式の携帯電話システム等の仕様を含む“第３世代移動体通信システムの標準化プロジェクト”（３ＧＰＰ：Third Generation Partnership Project）は、移動端末の位置登録の制御を規定している（例えば、非特許文献１、6.9 Location Management Function参照）。
【０００３】
図３は移動通信システムを示す構成図（１）である。本図の移動通信システム１は、移動端末（ＭＳ：Mobile Station）１１、制御エリアＲＡ１内の基地局装置（ＢＴＳ：Base Transceiver Station）２１，２２，２３を制御する無線ネットワーク制御装置（ＲＮＣ：Radio Network Controller）３１、制御エリアＲＡ２内のＢＴＳ２４，２５，２６を制御するＲＮＣ３２、ＧＰＲＳ（General Packet Radio Service）方式によりパケット通信を行うためのサービングＧＰＲＳサポートノード（ＳＧＳＮ：Serving GPRS Support Node）４１，４２、ＧＰＲＳ方式によりパケット通信を行うためのゲートウェイＧＰＲＳサポートノード（ＧＧＳＮ：Gateway GPRS Support Node）５１、及びホームロケーション装置（ＨＬＲ：Home Location Register）６１を備えている。
【０００４】
ＲＮＣ３０（以降、ＲＮＣを総称する場合ＲＮＣ３０と記載する。）は、ＢＴＳ２０（以降、ＢＴＳを総称する場合ＢＴＳ２０と記載する。）と通信するＭＳ１１の通信経路の制御を行う。
【０００５】
ＭＳ１１がＲＮＣ３１の制御エリアＲＡ１内のＢＴＳ２３の配下からＲＮＣ３２の制御エリアＲＡ２内のＢＴＳ２４の配下に移動した場合、ＭＳ１１の通信回線は通信経路であるＢＴＳ２３−ＲＮＣ３１−ＳＧＳＮ４１−ＧＧＳＮ５１から、ＲＮＣ３１を経由した通信経路であるＢＴＳ２４−ＲＮＣ３２−ＲＮＣ３１−ＳＧＳＮ４１−ＧＧＳＮ５１に移行する。
【０００６】
図４は移動通信システムを示す構成図（２）である。本図の移動通信システム２は図３の移動通信システム１と同じ装置構成である。
【０００７】
図３の通信回線はＲＮＣ３１を経由した通信経路となり冗長な通信経路となるので、図４のようにＲＮＣ３１とＲＮＣ３２間でサービングＲＮＣをＲＮＣ３１からＲＮＣ３２に切替える。つまり、ＭＳ１１の通信回線は通信経路であるＢＴＳ２４−ＲＮＣ３２−ＳＧＳＮ４２−ＧＧＳＮ５１に切り替わる。
【０００８】
図５はリロケーション手順を説明するためのシーケンス図である（例えば、非特許文献１、Figure 39参照）。ここで説明するリロケーションとは、図３で示した、ＭＳ１１がＲＮＣ３１の制御エリアＲＡ１からＲＮＣ３２の制御エリアＲＡ２に移動した場合に、ＲＮＣ３２がＲＮＣ３１の機能をハンドオーバーすることである。
【０００９】
Ｓ１１：ＭＳ１１は移動により、ＭＳ１１が受信する電波の強さが変化したことをＲＮＣ３１へ通知する。
【００１０】
Ｓ１２：ＭＳ１１から受信電波の強さの変化通知を受けたＲＮＣ３１は、エリア切替要求（relocation required）をＳＧＳＮ４１へ送信する。
【００１１】
Ｓ１３：ＲＮＣ３１からエリア切替要求を受けたＳＧＳＮ４１は、このエリア切替要求（relocation request）を切替先のＳＧＳＮ４２へ転送する。
【００１２】
Ｓ１４：切替元のＳＧＳＮ４１からエリア切替要求の転送を受けた切替先のＳＧＳＮ４２は、エリア切替要求（relocation request）を切替先のＲＮＣ３２へ送信する。
【００１３】
Ｓ１５：切替先のＳＧＳＮ４２からエリア切替要求を受けた切替先のＲＮＣ３２は、エリア切替要求を受信したことを示すＡＣＫ（relocation request acknowledge）を切替先のＳＧＳＮ４２へ応答する。
【００１４】
Ｓ１６：切替先のＲＮＣ３２からのエリア切替要求のＡＣＫ応答を受けた切替先のＳＧＳＮ４２は、エリア切替応答（relocation request response）を切替元のＳＧＳＮ４１へ転送する。
【００１５】
Ｓ１７：切替先のＳＧＳＮ４２からエリア切替応答を受けた切替元のＳＧＳＮ４１は、エリア切替命令（relocation command）を切替元のＲＮＣ３１へ送信する。
【００１６】
Ｓ１８：切替元のＳＧＳＮ４１からエリア切替命令を受けた切替元のＲＮＣ３１は、ＭＳ１１の端末情報を切替先のＲＮＣ３２へ送信する。
【００１７】
Ｓ１９：切替元のＳＧＳＮ４１からエリア切替命令を受けた切替元のＲＮＣ３１は、ＭＳ１１の端末情報を切替先のＲＮＣ３２へ送信すると共に、エリア切替コミット（relocation commit）を切替先のＲＮＣ３２へ送信する。
【００１８】
Ｓ２０：切替元のＲＮＣ３１からエリア切替コミットを受けた切替先のＲＮＣ３２は、エリア切替検出メッセージ（relocation detect）を切替先のＳＧＳＮ４２へ送信する。
【００１９】
Ｓ２１：切替元のＲＮＣ３１からエリア切替コミットを受けた切替先のＲＮＣ３２は、ＲＡＮ(radio access network) Ｍｏｂｉｌｉｔｙ情報（RAN mobility information）をＭＳ１１へ送信する。
【００２０】
Ｓ２２：切替先のＲＮＣ３２からRAN mobility informationを受けたＭＳ１１は、確認信号（RAN mobility information confirm）を切替先のＲＮＣ３２へ返送する。
【００２１】
Ｓ２３：ＭＳ１１からRAN mobility information confirmを受けた切替先のＲＮＣ３２は、エリア切替完了（relocation complete）を切替先のＳＧＳＮ４２へ送信する。
【００２２】
Ｓ２４：切替先のＲＮＣ３２からエリア切替完了を受けた切替先のＳＧＳＮ４２は、エリア切替完了を切替元のＳＧＳＮ４１へ転送する。
【００２３】
Ｓ２５：切替先のＳＧＳＮ４２からエリア切替完了の転送を受けた切替元のＳＧＳＮ４１は、エリア切替完了のＡＣＫ（forward relocation complete acknowledge）を切替先のＳＧＳＮ４２へ応答する。
【００２４】
Ｓ２６：切替元のＳＧＳＮ４１からエリア切替完了のＡＣＫ応答を受けた切替先のＳＧＳＮ４２は、位置登録更新要求（update PDP(packet data protocol) context request）をＧＧＳＮ５１へ送信する。
【００２５】
Ｓ２７：切替先のＳＧＳＮ４２から位置登録更新要求を受けたＧＧＳＮ５１は、その応答（update PDP context response）を切替先のＳＧＳＮ５１へ返送する。
【００２６】
Ｓ２８：切替先のＳＧＳＮ４２からエリア切替完了の転送を受けた切替元のＳＧＳＮ４１は、移動端末とＲＮＣ３０間のインタフェースの開放命令（Iu release command）を切替元のＲＮＣ３１へ送信する。
【００２７】
Ｓ２９：切替元のＳＧＳＮ４１よりインタフェースの開放命令を受けた切替元のＲＮＣ３１は、インタフェース開放完了（Iu release complete）を切替元のＳＧＳＮ４１へ応答する。
【００２８】
図６は位置登録更新手順を説明するためのシーケンス図である（例えば、非特許文献１、Figure 33参照）。ここで説明する位置登録更新とは、移動端末（ＭＳ）１１が通信中に移動し通信終了後に位置登録すること、ＭＳ１１が待受け状態において移動し位置が変わった場合に位置登録すること、周期的に位置登録することの何れかである。
【００２９】
Ｓ３１：ＭＳ１１は位置登録の更新要求（routing area update request）を切替先のＳＧＳＮ４２へ送信する。
【００３０】
Ｓ３２：ＭＳ１１から位置登録の更新要求を受けた切替先のＳＧＳＮ４２は、切替元のＳＧＳＮ４１に対してＳＧＳＮ状態情報要求（SGSN context request）を送信する。
【００３１】
Ｓ３３：切替先のＳＧＳＮ４２からＳＧＳＮ状態情報要求を受けた切替元のＳＧＳＮ４１は、ＳＧＳＮ状態情報応答（SGSN context response）を切替先ＳＧＳＮ４２へ返送する。
【００３２】
Ｓ３４：切替元のＳＧＳＮ４１からＳＧＳＮ状態情報応答を受けた切替先のＳＧＳＮ４２は、ＭＳ１１、ＨＬＲ６１と位置登録される移動端末のチェック、データ改ざんや盗聴の防止のための手順の設定等のセキュリティ機能（security functions）の設定を行う。
【００３３】
Ｓ３５：切替元のＳＧＳＮ４１からＳＧＳＮ状態情報応答を受け、セキュリティ機能の設定を行った切替先のＳＧＳＮ４２は、データパケットを受信できる準備が整ったことを通知するためにＳＧＳＮ状態情報ＡＣＫ（SGSN context acknowledge）を切替元のＳＧＳＮ４１へ送信する。
【００３４】
Ｓ３６：切替先のＳＧＳＮ４２からＳＧＳＮ状態情報ＡＣＫを受けた切替元のＳＧＳＮ４１は、バッファされているパケットを切替先のＳＧＳＮ４２へ転送する。
【００３５】
Ｓ３７：切替元のＳＧＳＮ４１からパケットを転送された切替先のＳＧＳＮ４２は、位置登録更新要求（update PDP context request）をＧＧＳＮ５１へ送信する。
【００３６】
Ｓ３８：切替先のＳＧＳＮ４２から位置登録更新要求を受けたＧＧＳＮ５１は、位置登録更新応答（update PDP context response）を切替先のＳＧＳＮ４２へ返送する。
【００３７】
Ｓ３９：ＧＧＳＮ５１から位置登録更新応答を受けた切替先のＳＧＳＮ４２は、ＳＧＳＮ切替のために位置登録情報（update location）をＨＬＲ６１へ送信する。
【００３８】
Ｓ４０：切替先のＳＧＳＮ４２から位置登録情報を受けたＨＬＲ６１は、位置登録の削除（cancel location）を切替元のＳＧＳＮ４１へ送信する。
【００３９】
Ｓ４１：ＨＬＲ６１から位置登録の削除を受けた切替元のＳＧＳＮ４１は、位置登録の削除のＡＣＫ（cancel location ACK）をＨＬＲ６１へ応答する。
【００４０】
Ｓ４２：切替元のＳＧＳＮ４１より位置登録の削除のＡＣＫを受けたＨＬＲ６１は、加入者情報（insert subscriber data）を切替先のＳＧＳＮ４２へ送信する。
【００４１】
Ｓ４３：ＨＬＲ６１から加入者情報を受けた切替先のＳＧＳＮ４２は、加入者情報入手に対するＡＣＫ（insert subscriber data ACK）をＨＬＲ６１に応答する。
【００４２】
Ｓ４４：切替先のＳＧＳＮ４２から加入者情報入手に対するＡＣＫを受けたＨＬＲ６１は、Ｓ３９で受けたＳＧＳＮ４０（以降、ＳＧＳＮを総称する場合ＳＧＳＮ４０と記載する。）の切替に対して完了したこと（update location ACK）を切替先のＳＧＳＮ４２へ応答する。
【００４３】
Ｓ４５：ＨＬＲ６１からＳＧＳＮ４０の切替が完了したことを受けた切り替え先のＳＧＳＮ４２は、ＭＳ１１が移動先の制御エリアで有効になったこと（routing area update accept）をＭＳ１１へ通知する。
【００４４】
Ｓ４６：切替先のＳＧＳＮ４２から移動先の制御エリアで有効になったことの通知を受けたＭＳ１１は、Routing Area Update Completeを応答する。
【非特許文献１】3GPP TS23.060 V7.4.0（3rd Generation Partnership Project；Technical Specification Group Services and System Aspects；General Packet Radio Service(GPRS)；Service description；Stage2(Release7)）
【発明の開示】
【発明が解決しようとする課題】
【００４５】
以上記載したように、移動端末（ＭＳ１１）が無線ネットワーク制御装置（ＲＮＣ３０）の異なる制御エリアに移動した場合に位置登録の更新は行われる。しかし、図６のＳ３１において記載したように、通信終了後にＭＳ１１は切替先のサービングＧＰＲＳサポートノード（ＳＧＳＮ４２）に対して位置登録の更新要求（routing area update request）を送信することになっている。
【００４６】
つまり、ＭＳ１１がＲＮＣ３０の異なる制御エリアに移動した場合には、図５を用いて説明したように、Ｓ１１を契機として位置登録更新の処理が実行され、位置登録更新のための情報がネットワークシステム（切替先のＳＧＳＮ４２）に通知されているにも係わらず、通信終了後に再度ＭＳ１１から、図６のＳ３１に示す位置登録の更新要求を切替先のＳＧＳＮ４２へ送信することは無線リソースの無駄となる。
【００４７】
よって、移動端末（ＭＳ１１）が無線ネットワーク制御装置（ＲＮＣ３０）の異なる制御エリアに移動した場合に、ネットワークシステムに通知されている情報に基づいて、通信終了後の移動端末からの位置登録の更新要求を行うことなしに、位置登録の更新を行う位置登録制御方法を提供することを目的とする。
【課題を解決するための手段】
【００４８】
移動通信システムの位置登録制御方法において、移動端末の移動前の在圏位置を制御エリアとする第１の無線ネットワーク制御装置（ＲＮＣ）から移動後の在圏位置を制御エリアとする第２のＲＮＣへ、該エリアを移動した該移動端末の情報を転送した時に、第２のＲＮＣが該移動端末に通知する情報において、移動後のシステムにおいて位置登録の更新処理が実施済みであるか否かを示す情報を送信するステップを備えることを特徴とする移動通信システムの位置登録制御方法を提供する。
【００４９】
この位置登録制御方法によれば、移動端末は位置登録を更新する要求を停止する情報を備えることが可能となるので、通信中に制御エリアを移動した移動端末は、通信終了後に位置登録を更新する要求を停止することが可能となる位置登録制御方法を提供することが可能となる。
【発明の効果】
【００５０】
移動通信システムの位置登録制御方法において、位置登録を更新する要求を停止する情報を備えることが可能となった移動端末は、通信中に制御エリアを移動した場合に通信終了後に位置登録を更新する要求を停止すると共に、通信経路を移動先の無線ネットワーク制御装置（ＲＮＣ）、加入者パケット交換機（ＳＧＳＮ）に切り替え、位置登録の更新処理を自律して実施することが可能となり、移動端末が通信終了後に位置登録の更新要求を行う必要がないので、移動端末が送信する無線リソースを削減することが可能となる。
【発明を実施するための最良の形態】
【００５１】
以降、図面を併用して本発明の詳細を説明する。なお、図面において同一のものまたは類似するものについては同一の符号を記載する。
（実施例１）
図１は本発明の一実施例におけるリロケーション手順を説明するためのシーケンス図である。図５で説明したシステム構成と同じシステム構成に基づいて説明する。
【００５２】
図２は本発明の一実施例におけるＵＴＲＡＮ Ｍｏｂｉｌｉｔｙ情報を説明するための図である。
【００５３】
先ず、図２について説明する。本図に示すＵＴＲＡＮ（UMTS(universal mobile telecommunication system) radio access network）Ｍｏｂｉｌｉｔｙ情報（UTRAN mobility information）は、無線資源制御のためＲＮＣ３０がＭＳ１１を制御するための情報である。
【００５４】
Integrity check info (I11)は、データの改ざんを防止するためエンコードされたデータをデコードするための情報である。
【００５５】
RRC transaction identifier (I12)は、無線資源制御トランザクション（RRC(radio resource control) transaction）を識別するための情報である。
【００５６】
Integrity protection mode info (I13)は(I11)と同様の情報である。
【００５７】
Ciphering mode info (I14)は、盗聴防止のためにスクランブリングをするための情報である。
【００５８】
New U-RNTI(UTRAN radio network temporary identity) (I15)は、移動端末とUTRANのコネクションを識別するためのコードである。
【００５９】
New C-RNTI(cell radio network temporary identity) (I16)はセル情報である。
【００６０】
UE(user equipment) Timers and constants in connected mode (I17)は各種タイマー値である。
【００６１】
CN(core network) Information info (I18)は、接続先の交換機等のコアネットワークに関する情報である。
【００６２】
URA(UTRAN registration area) identity (I19)は位置情報である。
【００６３】
RB(roaming broker) with PDCP(packet data convergence protocol) information (I20)は、リロケーションの時に使用される信号間を繋ぐための識別子である。
【００６４】
PDCP context relocation info (I21)はリロケーション手順の規格情報である。
【００６５】
RA update indication (I22)は、ネットワーク側で位置登録の更新処理を実施し、移動端末からネットワーク側に位置登録の更新を行うための通知を不要とすることを、移動端末に通知するための情報である。例えば、ネットワーク側で位置登録の更新処理を実施済の場合は論理レベル“１”を、未実施の場合は論理レベル“０”を移動端末に通知する。
【００６６】
図１のリロケーション手順について説明する。Ｓ１１１〜Ｓ１２０は図５のＳ１１〜Ｓ２０のそれぞれと同じである。
【００６７】
Ｓ１１１：ＭＳ１１は移動により、ＭＳ１１が受信する電波の強さが変化したことをＲＮＣ３１へ通知する。
【００６８】
Ｓ１１２：ＭＳ１１から受信電波の強さの変化通知を受けたＲＮＣ３１は、エリア切替要求（relocation required）をＳＧＳＮ４１へ送信する。
【００６９】
Ｓ１１３：ＲＮＣ３１からエリア切替要求を受けたＳＧＳＮ４１は、このエリア切替要求（relocation request）を切替先のＳＧＳＮ４２へ転送する。
【００７０】
Ｓ１１４：切替元のＳＧＳＮ４１からエリア切替要求の転送を受けた切替先のＳＧＳＮ４２は、エリア切替要求（relocation request）を切替先のＲＮＣ３２へ送信する。
【００７１】
Ｓ１１５：切替先のＳＧＳＮ４２からエリア切替要求を受けた切替先のＲＮＣ３２は、エリア切替要求を受信したことを示すＡＣＫ（relocation request acknowledge）を切替先のＳＧＳＮ４２へ応答する。
【００７２】
Ｓ１１６：切替先のＲＮＣ３２からのエリア切替要求のＡＣＫ応答を受けた切替先のＳＧＳＮ４２は、エリア切替応答（relocation request response）を切替元のＳＧＳＮ４１へ転送する。
【００７３】
Ｓ１１７：切替先のＳＧＳＮ４２からエリア切替応答を受けた切替元のＳＧＳＮ４１は、エリア切替命令（relocation command）を切替元のＲＮＣ３１へ送信する。
【００７４】
Ｓ１１８：切替元のＳＧＳＮ４１からエリア切替命令を受けた切替元のＲＮＣ３１は、ＭＳ１１の端末情報を切替先のＲＮＣ３２へ送信する。
【００７５】
Ｓ１１９：切替元のＳＧＳＮ４１からエリア切替命令を受けた切替元のＲＮＣ３１は、ＭＳ１１の端末情報を切替先のＲＮＣ３２へ送信すると共に、エリア切替コミット（relocation commit）を切替先のＲＮＣ３２へ送信する。
【００７６】
Ｓ１２０：切替元のＲＮＣ３１からエリア切替コミットを受けた切替先のＲＮＣ３２は、エリア切替検出メッセージ（relocation detect）を切替先のＳＧＳＮ４２へ送信する。
【００７７】
Ｓ１２１：切替元のＲＮＣ３１からエリア切替コミットを受けた切替先のＲＮＣ３２は、位置登録の更新処理を実施しているので、図２で説明したＵＴＲＡＮ Ｍｏｂｉｌｉｔｙ情報のRA update indication (I22)をネットワーク側で位置登録の更新処理を実施済の場合を示す論理レベル“１”として、ＵＴＲＡＮ Ｍｏｂｉｌｉｔｙ情報をＭＳ１１へ送信する。
【００７８】
Ｓ１２２：切替先のＲＮＣ３２からＵＴＲＡＮ Ｍｏｂｉｌｉｔｙ情報を受けたＭＳ１１は、確認信号（UTRAN mobility information confirm）を切替先のＲＮＣ３２へ返送する。そして、ＭＳ１１は、受信したＵＴＲＡＮ Ｍｏｂｉｌｉｔｙ情報のRA update indication (I22)が論理レベル“１”（図中の不要の場合）ならば、通信終了後に位置登録の更新要求を行わず、論理レベル“０”（図中の必要の場合）ならば、通信終了後に位置登録の更新要求を行う（図中のＡの処理、つまり図６の処理を行う）。
【００７９】
なお、受信したＵＴＲＡＮ Ｍｏｂｉｌｉｔｙ情報のRA update indication (I22)の論理レベルは、ＭＳ１１のデータ格納部（図示せず。）に保持されている。そして、論理レベル“１”に保持されたRA update indication (I22)のデータは、ＭＳ１１の移動通信が終了した後にリセットされる。
【００８０】
Ｓ１２３：ＭＳ１１からUTRAN mobility information confirmを受けた切替先のＲＮＣ３２はエリア切替完了（relocation complete）を切替先のＳＧＳＮ４２へ送信する。
【００８１】
Ｓ１２４：切替先のＲＮＣ３２からエリア切替完了を受けた切替先のＳＧＳＮ４２は、エリア切替完了を切替元のＳＧＳＮ４１へ転送する。
【００８２】
Ｓ１２５：切替先のＳＧＳＮ４２からエリア切替完了の転送を受けた切替元のＳＧＳＮ４１は、エリア切替完了のＡＣＫ（forward relocation complete acknowledge）を切替先のＳＧＳＮ４２へ応答する。
【００８３】
Ｓ１２６：切替元のＳＧＳＮ４１からエリア切替完了のＡＣＫ応答を受けた切替先のＳＧＳＮ４２は、位置登録更新要求（update PDP(packet data protocol) context request）をＧＧＳＮ５１へ送信する。
【００８４】
Ｓ１２７：切替先のＳＧＳＮ４２から位置登録更新要求を受けたＧＧＳＮ５１は、その応答（update PDP context response）を切替先のＳＧＳＮ５１へ返送する。
【００８５】
Ｓ１２８：切替先のＳＧＳＮ４２からエリア切替完了の転送を受けた切替元のＳＧＳＮ４１は、移動端末とＲＮＣ３０間のインタフェースの開放命令（Iu release command）を切替元のＲＮＣ３１へ送信する。
【００８６】
Ｓ１２９：切替元のＳＧＳＮ４１よりインタフェースの開放命令を受けた切替元のＲＮＣ３１は、インタフェース開放完了（Iu release complete）を切替元のＳＧＳＮ４１へ応答する。
【００８７】
Ｓ１３０：ＧＧＳＮ５１から位置登録更新応答を受けた切替先のＳＧＳＮ４２は、ＭＳ１１が通信中に制御エリアを移動したか否かにより、位置登録の更新が必要か否かを判断する。制御エリアを移動しておらず位置登録の更新が不要な場合（図中のＢ）、リロケーション手順は終了となる。制御エリアを移動して位置登録の更新が必要な場合、ＳＧＳＮ４２はＳＧＳＮ切替のために位置登録情報（update location）をＨＬＲ６１へ送信する。
【００８８】
Ｓ１３１：切替先のＳＧＳＮ４２から位置登録情報を受けたＨＬＲ６１は、位置登録の削除（cancel location）を切替元のＳＧＳＮ４１へ送信する。
【００８９】
Ｓ１３２：ＨＬＲ６１から位置登録の削除を受けた切替元のＳＧＳＮ４１は、位置登録の削除のＡＣＫ（cancel location ACK）をＨＬＲ６１へ応答する。
【００９０】
Ｓ１３３：切替元のＳＧＳＮ４１より位置登録の削除のＡＣＫを受けたＨＬＲ６１は、加入者情報（insert subscriber data）を切替先のＳＧＳＮ４２へ送信する。
【００９１】
Ｓ１３４：ＨＬＲ６１から加入者情報を受けた切替先のＳＧＳＮ４２は、加入者情報入手に対するＡＣＫ（insert subscriber data ACK）をＨＬＲ６１に応答する。
【００９２】
Ｓ１３５：切替先のＳＧＳＮ４２から加入者情報入手に対するＡＣＫを受けたＨＬＲ６１は、Ｓ３９で受けたＳＧＳＮ４０（以降、ＳＧＳＮを総称する場合ＳＧＳＮ４０と記載する。）の切替に対して完了したこと（update location ACK）を切替先のＳＧＳＮ４２へ応答する。
【００９３】
Ｓ１３６：ＨＬＲ６１からＳＧＳＮ４０の切替が完了したことを受けた切り替え先のＳＧＳＮ４２は、ＭＳ１１が移動先の制御エリアで有効になったこと（routing area update accept）をＭＳ１１へ通知する。
【００９４】
Ｓ１３７：切替先のＳＧＳＮ４２から移動先の制御エリアで有効になったことの通知を受けたＭＳ１１は、Routing Area Update Completeを応答する。
【００９５】
本実施例によれば、位置登録を更新する要求を停止する情報を備えることが可能となった移動端末は、通信中に制御エリアを移動した場合に通信終了後に位置登録を更新する要求を停止すると共に、通信経路を移動先の無線ネットワーク制御装置（ＲＮＣ）、加入者パケット交換機（ＳＧＳＮ）に切り替え、位置登録の更新処理を自律して実施することが可能となる位置登録制御方法を提供することが可能となる。
【図面の簡単な説明】
【００９６】
【図１】一実施例におけるリロケーション手順を説明するためのシーケンス図である。
【図２】一実施例におけるＵＴＲＡＮ Ｍｏｂｉｌｉｔｙ 情報を説明するための図である。
【図３】移動通信システムを説明するための図（１）である。
【図４】移動通信システムを説明するための図（２）である。
【図５】リロケーション手順を説明するためのシーケンス図である。
【図６】位置登録更新手順を説明するためのシーケンス図である。
【符号の説明】
【００９７】
１、２    移動通信システム
１１    移動端末（ＭＳ：Mobile Station）
２０、２１、２２、２３、２４、２５、２６    基地局装置（ＢＴＳ：Base Transceiver Station）
３０、３１、３２    無線ネットワーク制御装置（ＲＮＣ：Radio Network Controller）
４０、４１、４２    サービングＧＰＲＳサポートノード（ＳＧＳＮ：Serving GPRS Support Node）
５１    ゲートウェイＧＰＲＳサポートノード（ＧＧＳＮ：Gateway GPRS Support Node）
６１    ホームロケーション装置（ＨＬＲ：Home Location Register）
ＲＡ１、ＲＡ２    制御エリア
【図１】
0005169366.tif 000002
【図２】
0005169366.tif 000003
【図３】
0005169366.tif 000004
【図４】
0005169366.tif 000005
【図５】
0005169366.tif 000006
【図６】
0005169366.tif 000007